(57)【特許請求の範囲】
【請求項１】
電子レンジ本体前面の開口部を開閉する開閉ドアと、
前記開閉ドアに設けた前記開閉ドア係止用の係合爪と、
前記開閉ドアが閉じた状態で前記係合爪が係合する位置に設けたラッチフックとを備え、
前記係合爪が前記ラッチフックに係合した状態で前記開閉ドアが前記電子レンジ本体に密着する方向に前記ラッチフックを付勢する付勢手段が前記ラッチフックに一体に設けられた電子レンジにおいて、
前記付勢手段は、前記電子レンジ本体前面と対向する前記ラッチフックの前面に設けられた弾性片と、前記弾性片の自由端側に設けられ前記電子レンジ本体前面に当接する突起部とからなり、
前記弾性片は、前記突起部が互いに相反する向きとなるように対で設けられ、無負荷状態で前記ラッチフックの前面とほぼ面一であることを特徴とする電子レンジ。
【請求項２】
前記突起部は、前記ラッチフックの前面から前記電子レンジ本体前面に向かって突出していることを特徴とする請求項１に記載の電子レンジ。
【請求項３】
前記弾性片は、前記突起部が互いに向かい合うように対で設けられたことを特徴とする請求項１または請求項２に記載の電子レンジ。
【請求項４】
前記開閉ドアに前記係合爪を複数設け、前記ラッチフックに前記各々の係合爪が係合する爪係合部が設けられたことを特徴とする請求項１〜請求項３のいずれか１項に記載の電子レンジ。
【発明の詳細な説明】
【０００１】
【産業上の利用分野】
本発明は、開閉ドアの調整作業を容易なものとして、開閉ドアからの電波漏れを確実に防止し得る電子レンジのドア調整機構に関する。
【０００２】
【従来の技術】
従来、電子レンジの開閉ドアを閉じる機構は、開閉ドアに設けられた係合爪と、電子レンジ本体内に取り付けられた爪係合部とで構成されている。図８は、このような従来の電子レンジの開閉ドアを閉じる機構の一例を示しており、図７に示す電子レンジのＤ−Ｄ線に沿う部分断面図である。
【０００３】
すなわち、電子レンジ本体５１内の加熱室５２の前面開口部５３に、開閉ドア５４が設けられ、この開閉ドア５４の加熱室５２に対向する内面側５４２から電子レンジ本体５１側に突出して、係合爪５５が設けられている。一方、この係合爪５５に対向する電子レンジ本体５１内に、係合爪５５と係合する爪係合部５６を有するラッチフック５７が設けられている。
【０００４】
係合爪５５は、上下方向に１対設けられており、これら係合爪５５，５５は連結杆６１によって一体的に連結されている。また、連結杆６１は、開閉ドア５４内において上下方向に摺動可能に設けられており、この連結杆６１の上下方向の摺動に伴って係合爪５５，５５が上下方向に移動するようになっている。
【０００５】
また、連結杆６１に形成された係止片６１１に、ドアバネ６２の一端６２１が係止されており、ドアバネ６２の他端６２２は、開閉ドア５４の内面に形成された係止片５４１に係止されている。ドアバネ６２は、両係止片５４１，６１１間において伸長した状態で係止されていることから、連結杆６１は、このドアバネ６２の収縮力によって常に下方に付勢された状態となっている。
【０００６】
一方、ラッチフック５７の爪係合部５６は、係合爪５５，５５に対向する位置に一対設けられており、これら爪係合部５６は、ラッチフック５７の支持枠体５８に固定されている。また、ラッチフック５７は、その全体が電子レンジ本体５１内において前後方向（図８中では左右方向）に移動可能に設けられるとともに、図９及び図１０に示すように、ラッチフック５７を任意の位置に固定するための固定ネジ６３が、電子レンジ本体５１の内側ケース本体６５を介してラッチフック５７の支持枠体５８に取り付けられている。ただし、図９は図８に示すＥ−Ｅ線に沿う部分断面図、図１０は図９に示す固定ネジの部分を正面より見た概略図である。
【０００７】
つまり、支持枠体５８には、固定ネジ６３が螺合されるネジ穴６８が形成されており、内側ケース本体６５には、前後方向（図面では横方向）に長い長穴６９が形成されている。そして、固定ネジ６３は、支持枠体５８の外側（ラッチフック５７とは反対側）から長穴６９に挿通され、支持枠体５８のネジ穴６８に螺合されている。つまり、固定ネジ６３は、締め付け前においては、内側ケース本体６５に形成された長穴６９内を前後方向に摺動可能な構成となっている。その結果、固定ネジ６３が取り付けられたラッチフック５７も、この固定ネジ６３の摺動可能範囲内において前後方向に移動可能な構成となっている。
【０００８】
なお、図８中の符号７２は支持枠体５８に取り付けられたドアスイッチであり、爪係合部５６に係合された係合爪５５によってオン、オフ制御される。つまり、係合爪５５が爪係合部５６に係合しているとき（開閉ドア５４が閉じられた図５に示す状態のとき）オン状態、係合が解除されたとき（開閉ドア５４が開かれたとき）オフ状態となるようになっている。
【０００９】
上記構成によれば、電子レンジの製造時、製造作業者は、電子レンジの組み付けが完了し、図示しない外側の化粧ケースを取り付ける前に、ラッチフック５７の調整を行う。つまり、ラッチフック５７を任意の位置として開閉ドア５４を閉じ、そのときの開閉ドア５４と加熱室５２の前面開口部５３との隙間を確認する。この後、一旦開閉ドア５４を開き、ラッチフック５７全体をその隙間分だけ後方にずらせる調整を行った後、固定ネジ６３によってラッチフック５７の位置を仮固定し、再び開閉ドア５４を閉じ隙間の確認を行う。そして、開閉ドア５４と前面開口部５３とが隙間無く緊密に閉じられたことを確認して、固定ネジ６３を本固定する。
【００１０】
【発明が解決しようとする課題】
このように、従来の電子レンジでは、開閉ドア５４が確実に閉じるようにするために調整作業が必要であるが、この調整作業は電子レンジ本体５１内の狭い場所での作業であり、作業が煩雑であるとともに、作業性の悪いものであった。また、調整作業が確実に行われない場合には、電子レンジの使用時の電波が開閉ドア５４と加熱室５２の前面開口部５３との隙間から外部に漏れるといった不具合を生じることになる。
【００１１】
本発明はかかる実情に鑑みてなされたもので、その目的は、開閉ドアの調整作業を容易なものとして、開閉ドアからの電波漏れを確実に防止し得る電子レンジのドア調整機構を提供することにある。
【００１２】
【課題を解決するための手段】
本発明に関る電子レンジは、電子レンジ本体前面の開口部を開閉する開閉ドアと、前記開閉ドアに設けた前記開閉ドア係止用の係合爪と、前記開閉ドアが閉じた状態で前記係合爪が係合する位置に設けたラッチフックとを備え、前記係合爪が前記ラッチフックに係合した状態で前記開閉ドアが前記電子レンジ本体に密着する方向に前記ラッチフックを付勢する付勢手段が前記ラッチフックに一体に設けられた電子レンジにおいて、前記付勢手段は、前記電子レンジ本体前面と対向する前記ラッチフックの前面に設けられた弾性片と、前記弾性片の自由端側に設けられ前記電子レンジ本体前面に当接する突起部とからなり、前記弾性片は、前記突起部が互いに相反する向きとなるように対で設けられ、無負荷状態で前記ラッチフックの前面とほぼ面一であることを特徴とする。
前記突起部は、無負荷状態で前記ラッチフックの前面から前記電子レンジ本体前面に向かって突出していることを特徴とする。
前記弾性片は、前記突起部が互いに向こう合うように対で設けられたことを特徴とする。
前記開閉ドアに前記係合爪を複数設け、前記ラッチフックに前記各々の係合爪が係合する爪係合部が設けられたことを特徴とする。
【００１３】
ラッチフックは、付勢手段により電子レンジ本体内において常に後方向に付勢されていることから、開閉ドアを閉じて係合爪を爪係合部に係合したとき、開閉ドアはこの付勢手段の付勢力によって電子レンジ本体の前面開口部に密着される。そのため、この状態で固定手段によりラッチフックを固定すれば、係合爪と爪係合部とは最適な位置関係に調整されたことになる。これにより、開閉ドアを閉じた時、開閉ドアにより電子レンジ本体の前面開口部が緊密に閉じられた状態となることから、電波漏れ等の発生も無い。
【００１４】
【発明の実施の形態】
以下、本発明の第１の実施の形態を図面を参照して説明する。図１乃至図３は、本発明に係わる電子レンジのドア調整機構の構造を示している。ただし、図３は図１に示すＡ−Ａ線に沿う部分拡大断面図である。同図において、符号１は電子レンジ本体、３は前面開口部、４は開閉ドア、５は係合爪、６は爪係合部、７はラッチフック、８は支持枠体、１１は連結杆、１２はドアバネ、１３は固定ネジ、１５は内側ケース本体、１８はネジ穴、１９は内側ケース本体１５に形成された長穴、２２はドアスイッチであり、これらの構成は図７乃至図１０に示す従来の構造のものと同様である。
【００１５】
本発明は、上記構成において、ラッチフック７の支持枠体８のうち、電子レンジ本体１の前面開口部３をも形成する内側ケース本体１５の前面板２１に対向する枠体部分８１に、円筒状の凹部２３を形成し、この凹部２３にコイル状のフックバネ２８を嵌挿したものである。この凹部２３は、その開口部２４が前面板２１に対向して設けられていることから、フックバネ２８は、この前面板２１と凹部２３の底壁２５とで両端部が挟持された圧縮状態で凹部２３内に嵌挿されている（主に図３を参照）。
【００１６】
そのため、ラッチフック７は、フックバネ２８の復元力（伸長力）によってその全体が常に後方向（図１において右方向）に付勢されており、その前後方向の移動可能範囲において常に最後端（図２において実線で示す位置）Ｘに位置することになる。
【００１７】
ただし、ラッチフック７の前後方向の移動可能範囲は固定ネジ１３と長穴１９とによって決まるが、移動可能範囲のうちの特に最後端Ｘの位置は、係合爪５と爪係合部６との係合関係に基づいて定める必要がある。すなわち、ドア調整のために開閉ドア４を閉じたとき、この時点では最後端Ｘの位置にあるラッチフック７に設けられた爪係合部６の先端が、開閉ドア４に設けられた係合爪５の当接面３１の先端部３２に当接する必要がある（図２において実線で示す状態）。
【００１８】
また、この状態から係合爪５と爪係合部６とを確実に係合させるためには、係合爪５の当接面３１の先端部３２に当接した爪係合部６が、当接面３１を基端部３３まで摺動する必要がある。そのためには、ドアバネ１２の収縮力がフックバネ２８の復元力（伸長力）よりも大となるように設定する必要がある。
【００１９】
つまり、このようにドアバネ１２及びフックバネ２８の各弾性力を設定することにより、開閉ドア４を閉じたとき、係合爪５の当接面３１の先端部３２に当接した爪係合部６が、当接面３１を基端部３３まで摺動するので、この摺動に伴ってラッチフック７が開閉ドア４側に引き寄せられることになる。すなわち、図２に示す実線の位置から破線で示す位置まで距離Ｌだけ引き寄せられることになる。
【００２０】
一方、これを開閉ドア４から見た場合には、開閉ドア４はフックバネ２８の付勢力によって電子レンジ本体１側、すなわち前面開口部３に密着するように付勢されることになる。そのため、この状態で固定ネジ１３を固定することにより、係合爪５と爪係合部６との位置関係は、最適な関係に調整されることになる。すなわち、製造作業者は、図示しない外側の化粧ケースを取り付ける前に、単に開閉ドア４を閉じた状態で固定ネジ１３を締め付けるだけで良く、これによって最適なドア調整が行えるもである。
【００２１】
また、本発明の第２の実施の形態は図４乃至図６に示すように、ラッチフック７の前面板３４に付勢手段となる弾性片３５を一体に形成し、該弾性片３５の前面側の突起部が電子レンジ本体１の前面板に当接し、該弾性片３５の弾性によりラッチフック７を後方へ付勢することにより、第１実施例と同様にラッチフック７の調整を不要にしている。
【００２２】
【発明の効果】
本発明によれば、開閉ドアと本体の前面開口部との間の隙間を確実に無くすことができるので、電波漏れを確実に遮断した安全性の優れた電子レンジを提供することができる。
【図面の簡単な説明】
【図１】本発明に係わる電子レンジのドア調整機構の第１実施例の構造を示す概略断面図であって、係合爪と爪掛止部とが確実に係合された状態を示す図である。
【図２】本発明に係わる電子レンジのドア調整機構の第１実施例の構造を示す概略断面図であって、係合爪が爪掛止部に係合する前の状態を示す図である。
【図３】図１に示すＡ−Ａ線に沿う部分拡大断面図である。。
【図４】本発明に係わる電子レンジのドア調整機構の第２実施例を示す概略断面図であって、係合爪と爪掛止部とが確実に係合された状態を示す図である。
【図５】図４に示すＢ−Ｂ線に沿う部分断面図である。
【図６】図５に示すＣ−Ｃ線に沿う部分断面図である。
【図７】従来の電子レンジの正面図である。
【図８】図７に示すＤ−Ｄ線に沿う部分断面図である。
【図９】図８に示すＥ−Ｅ線に沿う部分断面図である。
【図１０】図９に示す固定ネジの部分を示す正面より見た概略図である。
【符号の説明】
１  電子レンジ本体
２  加熱室
３  前面開口部
４  開閉ドア
５  係合爪
６  爪係合部
７  ラッチフック
１３  固定ネジ（固定手段）
２８  フックバネ（付勢手段）
【図１】
0003599275.tif 000002
【図２】
0003599275.tif 000003
【図３】
0003599275.tif 000004
【図４】
0003599275.tif 000005
【図５】
0003599275.tif 000006
【図６】
0003599275.tif 000007
【図７】
0003599275.tif 000008
【図８】
0003599275.tif 000009
【図９】
0003599275.tif 000010
【図１０】
0003599275.tif 000011